(57)【特許請求の範囲】
【請求項１】
鍵穴に鍵を挿入し、回動することにより施錠および開錠を行う施錠装置であって、
一端側に環状、楕円状、矩形状の少なくとも一つで形成されたフランジ部を有し、かつ前記一端側に前記鍵穴が形成された内筒と、
フランジ部を有し、かつ前記内筒の少なくとも一部を保持する外筒とを含み、
前記内筒のフランジ部は、少なくとも前記外筒のフランジ部を前記鍵穴の延在方向に沿って隠す大きさからなり、前記内筒のフランジ部の一部に窓部が設けられた、施錠装置。
【請求項２】
前記窓部は、透明部材からなる、請求項１記載の施錠装置。
【請求項３】
前記窓部は、切り欠き部からなる、請求項１記載の施錠装置。
【請求項４】
前記内筒のフランジ部は、前記外筒のフランジ部の周面の一部を覆い隠す機構を有することを特徴とする請求項１から３のいずれか１項に記載の施錠装置。
【発明の詳細な説明】
【技術分野】
【０００１】
本発明は、鍵を用いて開錠および施錠を行う施錠装置、特に家具、家財道具等に対する施錠装置に関する。
【背景技術】
【０００２】
従来から、施錠装置については、種々の研究開発が行われている。例えば、特許文献１には、開閉表示機構付錠について開示されている。
【０００３】
特許文献１記載の開閉表示機構付錠では、外筒である錠固定手段を有する筒状の錠本体と、内筒である挿入された鍵の凹凸と錠固定手段とが整合した際に、解錠されて錠本体内にて回動する鍵を挿入し得る鍵孔を有する回転体とからなる既存の開閉表示機構無しの正面から内筒である回転体を交換できるタイプの回転錠において、内筒である回転体には、錠本体と係合する鍔部の一部に切り欠いた表示窓を設け、錠本体には、回転体の鍔部の一部を切り欠いた表示窓の部分に対応するように、開、閉を判別できる別個の表示部を設け、この表示窓と表示部との関連を規制する回転体の鍔部の裏側には回転規制用の内筒ストッパを形成し、該内筒ストッパは鍔部の表示窓と略対向する位置に設け、錠本体のインロー部には回転体の鍔部に設けた内筒ストッパと衝突するように回転を規制する外筒ストッパが形成されたものについて開示されている。
【先行技術文献】
【特許文献】
【０００４】
【特許文献１】特許４２４８０３２号公報
【発明の概要】
【発明が解決しようとする課題】
【０００５】
しかしながら、特許文献１記載の開閉表示機構付錠においては、開、閉を判別できる別個の表示部を設けているが、開閉表示（以下、開閉情報と呼ぶ。）が状況によっては、小さいため視認し難いという問題がある。具体的に、机等の施錠装置においては、机の下方に施錠装置が設けられているので、椅子に着座した状態の操作者が、施錠装置の開閉情報を容易に認識することができない場合がある。
【０００６】
また、高齢化社会が進む中、表示部の面積が小さいと操作者が施錠装置の開閉情報を認識できないという問題が生じる。
【０００７】
本発明の目的は、表示部に表示される開閉情報の認識を容易にした施錠装置を提供することである。
【０００８】
（１）
一の局面に従う施錠装置は、鍵穴に鍵を挿入し、回動することにより施錠および開錠を行う施錠装置であって、一端側にフランジ部を有し、かつ一端側に鍵穴が形成された内筒と、フランジ部を有し、かつ内筒の少なくとも一部を保持する外筒とを含み、内筒のフランジ部は、少なくとも外筒のフランジ部を鍵穴の延在方向に沿って一部を隠す大きさからなり、内筒のフランジ部の一部に窓部が設けられたものである。
【０００９】
本発明に係る施錠装置は、内筒のフランジ部が外筒のフランジ部を鍵穴の延在方向に沿って隠す大きさからなり、内筒のフランジ部の一部に窓部が設けられたものである。
【００１０】
この場合、内筒のフランジ部の窓部の大きさを大きくとることができる。すなわち、内筒のフランジ部を外筒のフランジ部に嵌合させる構造を採用していないので、内筒のフランジ部を大きくすることができ、嵌合させる場合と比較して約３倍程度の窓部を形成することができる。その結果、容易に施錠装置の施錠および開錠を判別することができる。
【００１１】
（２）
窓部は、透明部材からなってもよい。
【００１２】
この場合、内筒のフランジ部の一部が透明部材からなるので、外筒のフランジ部を容易に視認することができる。具体的に施錠時において、外筒のフランジ部に着色された部位を、当該内筒の透明部材を通して視認することができる。
【００１３】
（３）
窓部は、切り欠き部からなってもよい。
【００１４】
この場合、内筒のフランジ部の一部が切り欠かれているので、外筒のフランジ部を容易に視認することができる。具体的に施錠時において、外筒のフランジ部に着色された部位を、当該内筒の切り欠き部を通して視認することができる。
【００１５】
（４）
内筒のフランジ部は、環状、楕円状、矩形状の少なくとも一つで形成されてもよい。
【００１６】
この場合、フランジ部の形状を様々な形状にすることができる。すなわち、従来の構造であると、外筒のフランジ部に内筒のフランジ部が嵌合されているため、鍵を挿し込み、回動させる構造から内筒のフランジ部は、環状である必要があった。しかしながら、本発明の構造においては、外筒のフランジ部に嵌合う構造を採用せず、外筒のフランジ部を鍵穴の延在方向に沿って隠す大きさの構造を採用したので、内筒のフランジ部の形状の選択の幅を広げることができる。
【００１７】
（５）
内筒のフランジ部は、外筒のフランジ部の周面の一部を覆い隠してもよい。
【００１８】
この場合、内筒のフランジ部が外筒のフランジ部の周面の一部を覆い隠すので、防犯機能を高めることができるとともに、表示部の面積を大きくとることができ、さらに表示部を認識できる視野角をひろげることができる。
【００１９】
（６）
内筒および外筒は、家具用に設けられたものであってもよい。
【００２０】
当該内筒および外筒は、家具用に設けられたものであり、簡易な構造で、防犯機能およびプライバシー保護を実現することができる。
【００２１】
（７）
フランジ部は、周囲が面取りされてもよい。
【００２２】
この場合、フランジ部が面取りされているので、鍵を回動させる場合の引っかかりを防止することができる。
【発明の効果】
【００２３】
本発明によれば、表示部を大きくし開閉情報の認識を容易にすることができる。
【図面の簡単な説明】
【００２４】
【図１】本発明に係る第１の実施の形態に係る施錠装置の一例を示す模式図
【図２】第１の実施の形態に係る施錠装置の内部構造を示す模式的断面図
【図３】図１に示した施錠装置を回動させた場合の状態を示す模式的正面図
【図４】第２の実施の形態に係る施錠装置の一例を示す模式図
【図５】第２の実施の形態に係る施錠装置の内部構造を示す模式的断面図
【図６】図４に示した施錠装置を回動させた場合の状態を示す模式的正面図
【図７】第３の実施の形態に係る施錠装置の一例を示す模式図
【図８】第４の実施の形態に係る施錠装置の一例を示す模式図
【図９】第４の実施の形態に係る施錠装置の内部構造を示す模式的断面図
【図１０】図８に示した施錠装置を回動させた場合の状態を示す模式的正面図
【図１１】第５の実施の形態に係る施錠装置の一例を示す模式図
【図１２】第５の実施の形態に係る施錠装置の内部構造を示す模式的断面図
【図１３】図１１に示した施錠装置を回動させた場合の状態を示す模式的正面図
【発明を実施するための最良の形態】
【００２５】
以下、本発明に係る実施の形態について図面を用いて説明する。本実施の形態においては、第１から第５の実施形態にかかる施錠装置について具体例を挙げて説明する。
【００２６】
（第１の実施の形態）
図１は、本発明に係る第１の実施の形態に係る施錠装置１００の一例を示す模式図であり、図２は第１の実施の形態に係る施錠装置１００の内部構造を示す模式的断面図である。図１（ａ）は、施錠装置１００の正面を示し、図１（ｂ）は施錠装置１００の側面を示す。
【００２７】
図１および図２に示すように、施錠装置１００は、主に内筒２００および外筒３００からなる。内筒２００は、外筒３００の内部に嵌合可能に設けられており、内筒２００のフランジ部２０１に対して外筒３００のフランジ部３０１が接触するように形成されている。
【００２８】
また、図２に示すように、内筒２００には、鍵機構２１０が設けられている。この鍵機構２１０は、内筒２００の鍵穴２２０に鍵（図示せず）を挿入し、矢印Ｒの方向（図３参照）に回動させることにより開錠および施錠を行える機構である。
【００２９】
図１および図２に示すように、内筒２００のフランジ部２０１は、外筒３００のフランジ部３０１と同じ径からなる外周部を有する。また、内筒２００のフランジ部２０１は、切り欠き部２０２を有する。
【００３０】
また、施錠装置１００の内筒２００が外筒３００から抜け出さないよう、内筒２００の鍵穴２２０とは、逆方向に外筒３００よりも大きな固定部材２３０が設けられる。それにより、外筒３００から内筒２００を抜き出し、施錠装置１００を破壊することを防止できる。
【００３１】
図３は、図１に示した施錠装置１００を回動させた場合の状態を示す模式的正面図である。
【００３２】
まず、図１に示すように、外筒３００のフランジ部３０１には、表示部３０３が設けられており、表示部３０３（図１（ａ）ハッチング部）には、赤色の表示が設けられる。
また、図３に示すように、外筒３００のフランジ部３０１の表示部３０３以外の部位３０４には、赤色の表示が設けられていない。
【００３３】
その結果、図３に示すように、上記の矢印Ｒの方向に内筒２００を回動させた場合、すなわち施錠装置１００を開錠した場合には、切り欠き部２０２に相当する部位に部位３０４が表示され、上記の矢印Ｒの方向とは逆方向に内筒２００を回動させた場合、すなわち施錠装置１００を施錠した場合には、切り欠き部２０２に相当する部位に表示部３０３が表示される。
【００３４】
この場合、内筒２００のフランジ部２０１と外筒３００のフランジ部３０１とが同径からなるので、表示部３０３の面積を大きくとることができる。
すなわち、従来の施錠装置においては、防犯のため内筒のフランジ部が外筒のフランジ部に嵌合される構造が採用されているが、この場合、外筒のフランジ部と内筒のフランジ部の切り欠きとの重なる面積が少なくなり、表示部の視認性が低下する。特に、高齢者や施錠装置の配置によっては、見えない場合もある。
一方、本実施の形態に係る施錠装置１００においては、表示部３０３の面積を大きくとることができる。したがって、開閉情報の認識を容易にすることができる。
【００３５】
（第２の実施の形態）
以下、第２の実施の形態について説明を行う。図４は、第２の実施の形態に係る施錠装置１００ａの一例を示す模式図であり、図５は第２の実施の形態に係る施錠装置１００ａの内部構造を示す模式的断面図である。図４（ａ）は、施錠装置１００ａの正面を示し、図４（ｂ）は施錠装置１００ａの側面を示す。
【００３６】
図４および図５に示す施錠装置１００ａが施錠装置１００と異なる点は、内筒２００の代わりに内筒２００ａを設けた点である。
【００３７】
図４および図５に示すように、内筒２００ａは、内筒２００の平面のフランジ部２０１の代わりにＬ字状のフランジ部２０５を設けている。それに応じて切り欠き部２０２の代わりに切り欠き部２０２ａを有する。さらに、表示部３０３の代わりに表示部３０３ａを設けている。
【００３８】
具体的に、内筒２００ａのフランジ部２０５は、外筒３００のフランジ部３０１を外包する形状を有し、切り欠き部２０２ａは、フランジ部３０１を外包する部分まで切り欠きが設けられている。さらに、表示部３０３ａは、外筒３００のフランジ部３０１の正面側（図４（ａ）参照）および側部（図４（ｂ）に示す円周面側）の両方に設けられる。
【００３９】
続いて、図６は、図４に示した施錠装置１００ａを回動させた場合の状態を示す模式的正面図である。
【００４０】
まず、図４に示すように、外筒３００のフランジ部３０１には、表示部３０３ａが設けられており、表示部３０３ａ（図４（ａ）ハッチング部）には、赤色の表示が設けられる。
また、図６に示すように、外筒３００のフランジ部３０１の表示部３０３ａ以外の部位３０４には、赤色の表示が設けられていない。
【００４１】
その結果、図６に示すように、上記の矢印Ｒの方向に内筒２００ａを回動させた場合、すなわち施錠装置１００ａを開錠した場合には、切り欠き部２０２に相当する部位に部位３０４が表示され、上記の矢印Ｒの方向とは逆方向に内筒２００ａを回動させた場合、すなわち施錠装置１００ａを施錠した場合には、切り欠き部２０２ａに相当する部位に表示部３０３ａが表示される。
【００４２】
この場合、内筒２００ａのフランジ部２０５が外筒３００のフランジ部３０１を外包する構造からなるので、表示部３０３ａは、正面のみならず、側方からも認識することができる（図４（ｂ）参照）。その結果、机等の家具において、施錠装置１００ａの固設位置が下方にある場合でも、操作者は、側方からの表示部３０３ａを確認し、施錠または開錠を判断することができる。
【００４３】
（第３の実施の形態）
以下、第３の実施の形態について説明を行う。図７は、第３の実施の形態に係る施錠装置１００ｂの一例を示す模式図である。図７（ａ）は、施錠装置１００ｂの正面を示し、図７（ｂ）は施錠装置１００ｂの側面を示す。
【００４４】
図７に示す施錠装置１００ｂが施錠装置１００，１００ａと異なる点は、内筒２００、２００ａの代わりに内筒２００ｂを設けた点である。
【００４５】
図７に示す施錠装置１００ｂの内筒２００ｂは、内筒２００の切り欠き部２０２の代わりに透明部材２０４を設けた点である。それにより、内筒２００ｂを回動させることにより、外筒３００の表示部３０３の表示が視認できる。
【００４６】
また、第２の実施の形態に係る施錠装置１００ａのように、フランジ部２０５の切り欠き部２０２ａの代わりに透明部を設けてもよい。
【００４７】
（第４の実施の形態）
以下、第４の実施の形態について説明を行う。図８は、第４の実施の形態に係る施錠装置１００ｃの一例を示す模式図であり、図９は第４の実施の形態に係る施錠装置１００ｃの内部構造を示す模式的断面図である。図８（ａ）は、施錠装置１００ｃの正面を示し、図８（ｂ）は施錠装置１００ｃの側面を示す。
【００４８】
図８および図９に示す施錠装置１００ｃが施錠装置１００と異なる点は、施錠装置１００の円形からなるフランジ部２０１およびフランジ部３０１の代わりに楕円形からなるフランジ部２０１ｃ，フランジ部３０１ｃを設けた点である。
【００４９】
図８および図９に示すように、内筒２００ｃのフランジ部２０１ｃおよび外筒３００ｃのフランジ部３０１ｃは、主に同形状の楕円径からなり、フランジ部２０１ｃには、切り欠き部２０２ｃが設けられている。さらに、表示部３０３の代わりに表示部３０３ｃを設けている。
【００５０】
図１０は、図８に示した施錠装置１００ｃを回動させた場合の状態を示す模式的正面図である。
【００５１】
まず、図８に示すように、外筒３００ｃのフランジ部３０１ｃには、表示部３０３ｃが設けられており、表示部３０３ｃ（図８（ａ）ハッチング部）には、赤色の表示が設けられる。
また、図１０に示すように、外筒３００ｃのフランジ部３０１ｃの表示部３０３ｃ以外の部位３０４には、赤色の表示が設けられていない。
【００５２】
その結果、図１０に示すように、上記の矢印Ｒの方向に内筒２００ｃを１８０度回動させた場合、すなわち施錠装置１００ｃを開錠した場合には、切り欠き部２０２ｃに相当する部位に部位３０４が表示され、上記の矢印Ｒの方向とは逆方向に１８０度内筒２００ｃを回動させた場合、すなわち施錠装置１００ｃを施錠した場合には、切り欠き部２０２ｃに相当する部位に表示部３０３ｃが表示される。
【００５３】
（第５の実施の形態）
以下、第５の実施の形態について説明を行う。図１１は、第５の実施の形態に係る施錠装置１００ｄの一例を示す模式図であり、図１２は第５の実施の形態に係る施錠装置１００ｄの内部構造を示す模式的断面図である。図１１（ａ）は、施錠装置１００ｄの正面を示し、図１１（ｂ）は施錠装置１００ｄの側面を示す。
【００５４】
図１１および図１２に示す施錠装置１００ｄが施錠装置１００と異なる点は、施錠装置１００の円形からなるフランジ部２０１およびフランジ部３０１の代わりに矩形からなるフランジ部２０１ｄ，フランジ部３０１ｄを設けた点である。
【００５５】
図１１および図１２に示すように、内筒２００ｄのフランジ部２０１ｄおよび外筒３００ｄのフランジ部３０１ｄは、主に同形状の矩形からなり、フランジ部２０１ｄには、切り欠き部２０２ｄが設けられている。さらに、表示部３０３の代わりに表示部３０３ｄを設けている。
【００５６】
図１３は、図１１に示した施錠装置１００ｄを回動させた場合の状態を示す模式的正面図である。
【００５７】
まず、図１３に示すように、外筒３００ｄのフランジ部３０１ｄには、表示部３０３ｄが設けられており、表示部３０３ｄ（図１１（ａ）ハッチング部）には、赤色の表示が設けられる。
また、図１３に示すように、外筒３００ｄのフランジ部３０１ｄの表示部３０３ｄ以外の部位３０４には、赤色の表示が設けられていない。
【００５８】
その結果、図１３に示すように、上記の矢印Ｒの方向に内筒２００ｃを９０度回動させた場合、すなわち施錠装置１００ｄを開錠した場合には、切り欠き部２０２ｄに相当する部位に部位３０４が表示され、上記の矢印Ｒの方向とは逆方向に内筒２００ｃを９０度回動させた場合、すなわち施錠装置１００ｄを施錠した場合には、切り欠き部２０２ｄに相当する部位に表示部３０３ｄが表示される。
【００５９】
以上のように、第４および第５の実施の形態に係る施錠装置１００ｃ，１００ｄにおいては、円形に限定されず、種々の形状を採用することができるので、内筒２００のフランジ部２０１と外筒３００のフランジ部３０１とが同径からなるので、表示部３０３ｃ，３０３ｄの面積を大きくとることができる。
【００６０】
なお、上記の実施の形態においては、内筒２００の端部に固定部材２３０を設けることとしたが、これに限定されず、内筒２００の端部にネジ締結機構をもうけても良く、かしめにより挿抜防止機構を設けてもよい。
さらに、表示部３０３，〜，３０３ｄを一箇所の場合について説明をしたが、これに限定されず、切り欠き部と共に、複数箇所設けてもよく、鍵機構２１０の回動角度を１８０度および９０度ではなく、他の任意の角度としてもよい。
【００６１】
さらに、第２の実施の形態において、外筒のフランジ部と緩衝しないように、内筒のフランジ部をもうけることにより、第４および第５の実施の形態に係る楕円形および矩形のフランジ部２０１を設けてもよい。
【００６２】
以上のように、本実施の形態に係る施錠装置１００ａ，〜，１００ｄにおいては、表示部３０３，〜，３０４の表示を大きくとることができる。すなわち、内筒２００のフランジ部２０１を外筒３００のフランジ部３０１に嵌合させる構造を採用していないので、内筒２００のフランジ部２０１を大きくすることができ、嵌合させる場合と比較して約３倍程度の窓部を形成することができる。その結果、容易に施錠装置の施錠および開錠を判別することができる。
【００６３】
また、切り欠き部２０２および透明部材２０４からなることにより、容易に表示部３０３および部位３０４を確認することができる。
【００６４】
さらに、第２の実施の形態に係るフランジ部２０５のように、フランジ部３０１を外包する構成にすることにより施錠装置１００の開錠および施錠を斜め方向からも確認することができる。
【００６５】
本発明に係る施錠装置１００においては、鍵穴２２０が鍵穴に相当し、施錠装置１００，〜，１００ｄが施錠装置に相当し、内筒のフランジ部２０１，２０５，２０１ｂ，２０１ｃ，２０１ｄが内筒のフランジ部に相当し、内筒２００，〜，２００ｄが内筒に相当し、外筒のフランジ部３０１，３０１ｂ，３０１ｃ，３０１ｄが外筒のフランジ部に相当し、外筒３００，３００ｃ，３００ｄが外筒に相当し、フランジ部２０１およびフランジ部３０１との関係およびフランジ部２０５およびフランジ部３０１との関係が覆い隠す大きさに相当し、切り欠き部２０２，〜，２０２ｄおよび透明部材２０４が窓部、透明部材、切り欠き部に相当する。
【００６６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００６７】
１００，〜，１００ｄ  施錠装置
２０１，２０５，２０１ｂ，２０１ｃ，２０１ｄ  内筒のフランジ部
２００，〜，２００ｄ  内筒
２０２，〜，２０２ｄ  切り欠き部
２０４  透明部材
２２０  鍵穴
３００，３００ｃ，３００ｄ  外筒
３０１，３０１ｂ，３０１ｃ，３０１ｄ  外筒のフランジ部
【図１】
0005489670.tif 000002
【図２】
0005489670.tif 000003
【図３】
0005489670.tif 000004
【図４】
0005489670.tif 000005
【図５】
0005489670.tif 000006
【図６】
0005489670.tif 000007
【図７】
0005489670.tif 000008
【図８】
0005489670.tif 000009
【図９】
0005489670.tif 000010
【図１０】
0005489670.tif 000011
【図１１】
0005489670.tif 000012
【図１２】
0005489670.tif 000013
【図１３】
0005489670.tif 000014